(57)【要約】【課題】車椅子に簡単に着脱自在に取り付けでき、その高さ位置も調整できること。【解決手段】上端部に位置する支軸11を中心として回動する２本の脚部10と、前記支軸11の前部、後部又は中間部に位置し横方向に伸びる腕部12と、この腕部12の両端部に設けられた医療用バッグを吊下げることができる吊下部14とから成る。２本の脚部10の下端部には、車椅子の車輪の内側下方で前後方向に配設された一対のベースフレームのそれぞれに固定される固定部15を設ける。両脚部10を適宜角度に開いて、両固定部15を前記一対のベースフレームに着脱自在に固定できる。両脚部10の長さを長短自在に設定して吊下部の高さを調整できる。【選択図】図２
2020168346.tif 000002
【特許請求の範囲】
【請求項１】
車椅子のフレームに取り付けることができる医療用バッグ取付具において、
上端部に位置する支軸を中心として回動する２本の脚部と、前記支軸の前部、後部又は中間部に位置し横方向に伸びる腕部と、この腕部の両端部に設けられた前記医療用バッグを吊下げることができる吊下部とから成り、
前記２本の脚部の下端部には、車椅子の車輪の内側下方で前後方向に配設された一対のベースフレームのそれぞれに固定される固定部が設けられ、
前記両脚部を適宜角度に開いて、前記両固定部を車椅子の前記一対のベースフレームに着脱自在に固定できることを特徴とする車椅子用医療用バッグ取付具。
【請求項２】
前記両脚部がそれぞれその長さを長短自在に設定することができることを特徴とする請求項１に記載の車椅子用医療用バッグ取付具。
【請求項３】
前記腕部が支軸を中心として回動しうることを特徴とする請求項１又は２に記載の車椅子用医療用バッグ取付具。
【請求項４】
前記腕部が前記支軸の前部に配置され、この腕部の両端部から後方に延長する延長腕部がそれぞれ設けられ、これらの延長腕部の両端部から下方に延長するフック部を設け、このフック部が前記吊下部を構成することを特徴とする請求項１乃至３の何れか１項に記載の車椅子用医療用バック取付具。
【請求項５】
前記固定部が根元の一対の操作部と先端の一対の挟持部とバネ部とからなり、前記操作部を相互に近付けるように押圧することにより前記挟持部が拡開し、前記操作部から押圧力を除去することにより前記挟持部が前記ベースフレームを挟持し固定できることを特徴とする請求項１乃至４の何れか１項に記載の車椅子用医療用バッグ取付具。
【発明の詳細な説明】
【技術分野】
【０００１】
本発明は、入院患者等の採尿袋や蓄尿袋等の医療用バッグを車椅子に取り付けるための車椅子用医療用バッグ取付具に関するものである。
【背景技術】
【０００２】
従来のこの種の車椅子用医療用バッグ取付具としては、下記特許文献に記載のものを挙げることができる。
下記特許文献１に記載の「車椅子用蓄尿バッグ取付け具」は、尿道カテーテル患者が車椅子に座った状態で排尿が可能となるように、蓄尿バッグを車椅子に簡単に着脱できるようにすることを課題とする。
【０００３】
当該取付け具は、車椅子のフレームの前部に、左右一対のフットサポートを取付けるために、当該フレームに後傾姿勢で一体に連結された左右一対のフットフレーム部の一方に蓄尿バッグを取付けるための蓄尿バッグ取付け具である。
前記一対のフットフレーム部の一方に着脱可能に嵌着されるフレーム嵌着部と、前記フレーム嵌着部に一体に設けられて、前記フットフレーム部の外側に前記蓄尿バッグが吊下げ配置されるように、当該蓄尿バッグの吊下げ孔に挿入されるか又は蓄尿バッグの吊下げハンガーが引っ掛けられる吊下げフック部とを備えたものである。
【０００４】
下記特許文献２に記載の「車椅子への医療用バッグ吊下げ用治具」は、複雑で繊細な胸腔排液用装置のような医療用吸引集液器を含む医療用バッグを車椅子に取り付けるための車椅子用治具を提供することを課題とする。
【０００５】
その構成は、車椅子の肘掛けパイプの下面適所に下向きに形成された突起部との係合によってパイプに固定される取付基部と、この取付基部から延びる脚部または腕部と、を有しており、脚部または腕部には、医療用バッグを吊下げる鉤部または屈曲部を設けたものである。
【先行技術文献】
【特許文献】
【０００６】
【特許文献１】特開２０１９−３０３９７号公報
【特許文献２】実用新案登録第３２０８２４８号公報
【発明の概要】
【発明が解決しようとする課題】
【０００７】
本発明においても、採尿バッグや蓄尿バッグ等の医療用バッグを車椅子のフレームに簡単に取り付けることができる取付具を提供することをその課題とする。
その車椅子への取り付けに際して、当該取付具が車椅子使用者の邪魔にならない箇所に取り付けることができること、取り付けばかりでなく取り外しの際も簡単であることをその課題とする。
【０００８】
更には、上記採尿バッグ等は、使用者の膀胱位置よりも低い位置に取り付ける必要があるため、その取り付け高さ位置も適宜調整して変更できるようにすること。
また、上記医療用バッグのサイズ等に適応させるため、傾けて取り付けすることもできるようにすること、不使用時には小さく畳めるようにすることもその課題となる。  
【課題を解決するための手段】
【０００９】
上記課題を解決するために、本発明の第１のものは、車椅子のフレームに取り付けることができる医療用バッグ取付具において、上端部に位置する支軸を中心として回動する２本の脚部と、前記支軸の前部、後部又は中間部に位置し横方向に伸びる腕部と、この腕部の両端部に設けられた前記医療用バッグを吊下げることができる吊下部とから成り、記２本の脚部の下端部には、車椅子の車輪の内側下方で前後方向に配設された一対のベースフレームのそれぞれに固定される固定部が設けられ、前記両脚部を適宜角度に開いて、前記両固定部を車椅子の前記一対のベースフレームに着脱自在に固定できることを特徴とする車椅子用医療用バッグ取付具である。
【００１０】
尚、上記支軸の「前部」及び「後部」における「前・後」というのは、上記取付具を車椅子に取り付けた際に車椅子の前進方向を「前」、その反対方向を「後」としている。
【００１１】
本発明の第２のものは、上記第１の発明において、前記両脚部がそれぞれその長さを長短自在に設定することができることを特徴とする車椅子用医療用バッグ取付具である。
【００１２】
本発明の第３のものは、上記第１又は第２の発明において、前記腕部が支軸を中心として回動しうることを特徴とする車椅子用医療用バッグ取付具である。
【００１３】
本発明の第４のものは、上記第１乃至第３の発明において、前記腕部が前記支軸の前部に配置され、この腕部の両端部から後方に延長する延長腕部がそれぞれ設けられ、これらの延長腕部の両端部から下方に延長するフック部を設け、このフック部が前記吊下部を構成することを特徴とする車椅子用医療用バック取付具である。
【００１４】
本発明の第５のものは、上記それぞれの発明において、前記固定部が根元の一対の操作部と先端の一対の挟持部とバネ部とからなり、前記操作部を相互に近付けるように押圧することにより前記挟持部が拡開し、前記操作部から押圧力を除去することにより前記挟持部が前記ベースフレームを挟持し固定できることを特徴とする車椅子用医療用バッグ取付具である。
【発明の効果】
【００１５】
本発明の第１のものにおいては、車椅子のフレームに取り付けることができる医療用バッグ取付具であって、上端部に位置する支軸を中心として回動する２本の脚部と、前記支軸の前部、後部又は中間部に位置し横方向に伸びる腕部と、この腕部の両端部に設けられた前記医療用バッグを吊下げることができる吊下部とから成り、前記２本の脚部の下端部には、車椅子の車輪の内側下方で前後方向に配設された一対のベースフレームのそれぞれに固定される固定部が設けられているため、前記両脚部を適宜角度に開いて、前記両固定部を車椅子の前記一対のベースフレームに着脱自在に簡単に固定することができる。
【００１６】
即ち、本発明に係る取付具を車椅子の例えば背面側の一対のベースフレームに逆Ｖ字状に簡単に取付固定でき、吊下部は上記支軸から横方向に伸びる腕部の両端部に設けられ、各種の医療用バッグをこの吊下部に簡単に吊下げる又は引っ掛けることができる。
また、不使用時には、上記固定部をベースフレームから取り外し、両脚部を重ね合わせるように畳んだ状態で保管場所に保管しておくことができ、場所を取らず、非常に便利なものとなる。
勿論、この取付具は車椅子に取り付けたままにしておくことも可能である。
【００１７】
尚、本発明に係る上記取付具は、車椅子の一対のベースフレームに取り付けることができるのであるが、その取付位置は、上記のように車椅子の背面側（背凭れ部の背面側）の一対のベースフレームに取り付けることもできるし、或いは、車椅子の座部の下方又は下方前方に位置する一対のベースフレームに取り付けることも可能なものである。
【００１８】
本発明の第２のものは、前記両脚部がそれぞれその長さを長短自在に設定することができることを限定したものであり、これにより両脚部の長さを長短設定して支軸と腕部の高さを適宜設定することができ、これにより吊下部の高さも高低自在に設定することができることとなる。
【００１９】
本発明の第３のものは、前記腕部が支軸を中心として回動することを限定したものであり、これによって腕部の両端に設けられた吊下部の高さを左右で異ならせることもでき、これにより吊下げられ又は引っ掛けられる医療用バッグを斜めの状態でも保持できることとなる。
【００２０】
本発明の第４のものは、腕部の位置や吊下部の形態をより限定したものである。
即ち、前記腕部が前記支軸の前部に配置され、この腕部の両端部から後方に延長する延長腕部がそれぞれ設けられ、これらの延長腕部の両端部から下方に延長するフック部を設け、このフック部が前記吊下部を構成するものである。
現実の実施態様に合致させた形態のものを権利請求したものである。
【００２１】
本発明の第５のものにおいては、両脚部の下端部に設けられた固定部をより具体化したものである。
即ち、前記固定部が根元の一対の操作部と先端の一対の挟持部とバネ部とからなり、根元の前記操作部を相互に近付けるように押圧することにより前記先端の挟持部が拡開し、根元の前記操作部から押圧力を除去することにより前記先端の挟持部が車椅子の前記ベースフレームを挟持し固定できるものとした。
【００２２】
つまり、この固定部はいわば洗濯バサミの如き形態を有するものであり、両操作部を摘まんで相互に近付けるように押圧して先端の挟持部を拡開させ、この挟持部の間にベースフレームを位置させて、操作部から押圧力を除去することによって簡単に固定部をベースフレームに取り付けることができ、逆に取り付けられた固定部をベースフレームから取り外す際には、上記両操作部を相互に近付けるように押圧することにより先端の両挟持部が拡開して簡単にベースフレームから当該固定部が取り外されることとなるのである。
【図面の簡単な説明】
【００２３】
【図１】本発明の車椅子用医療用バッグ取付具に係る一実施形態の説明図である。
【図２】上記実施形態の斜視説明図である。
【図３】上記実施形態に係る取付具を車椅子に取り付けた状態の説明図である。
【発明を実施するための形態】
【００２４】
以下、添付の図面と共に本発明の一実施形態について説明する。
図１は、本発明の車椅子用医療用バッグ取付具に係る一実施形態の説明図である。
図２は、上記実施形態の斜視説明図である。
【００２５】
本発明に係る車椅子用医療用バッグ取付具（以下単に「取付具」という。）は、上端部の支軸１１に回動自在に軸着された２本の脚部１０、１０と、支軸１１の前部で横方向に伸びる腕部１２と、この腕部１２の両端部に設けられた吊下部１４、１４とから成り、前記２本の脚部１０、１０の下端部には固定部１５、１５がそれぞれに設けられている。
【００２６】
ここで、上記支軸１１の「前部」というのは、図示はしていない車椅子にこの取付具を取り付けた際に車椅子の進行方向を前方方向として、その前方方向の「前部」を意味している。
即ち、この取付具は、図１に示した状態で車椅子の背面側に取り付けられるため、図１の紙面裏側方向が前方方向となり、上記腕部１２は、支軸１１の「前部」で横方向に設けられていることとなる。
【００２７】
脚部１０、１０は、それぞれ２本の管体から形成され、上方の上方管体１０ａが下方の下方管体１０ｂの内部に嵌入する構造を有しており、伸縮自在となる。
つまり、その長さを必要に応じて長短自在に調整して設定することができる。
上記長さ調整のための長さ調整締付け部１０ｔがそれぞれの脚部１０の中間部に設けられている。
【００２８】
この長さ調整締付け部１０ｔを回動させて、締め付けを解除し、上方管体１０ａを下方管体１０ｂの外部へ又は内部へ出没させ、その後上記長さ調整締付け部１０ｔの締め付けを行い、両管体１０ａ、１０ｂを固定し、長さ調整ができる構成である。
【００２９】
上記２本の脚部１０、１０の下端部には、固定部１５がそれぞれ設けられている。
この固定部１５は、丁度洗濯バサミ形態を有しており、一対の略対称の挟持片の中間部の軸部１５ｊで軸着され、当該軸部１５ｊにバネ部が配設されて、先端部の挟持部１５ｋが常に接合状態を維持できるように付勢されている構成である。
【００３０】
上記挟持片の根元部は操作部１５ｓとなり、これら操作部１５ｓ、１５ｓを相互に近付けるように手の指で押圧することにより、先端部の挟持部１５ｋ、１５ｋが解放又は拡開されることとなる。
従って、上記両操作部１５ｓ、１５ｓを指で押圧して、先端の両挟持部１５ｋ、１５ｋを拡開して被取付部材を挟持し固定させることができる。
本発明に係る取付具の場合には、後に説明するが、車椅子の駆動輪の内側下方に配設されているベースフレームに固定されることとなる。
【００３１】
上記支軸１１には、その前部（図１中紙面裏側方向）に左右横方向に延長する腕部１２が設けられ、この腕部１２も支軸１１で回動自在に設けられている。
この腕部１２の両端部に吊下部１４がそれぞれ設けられている。
【００３２】
より詳しくは、上記腕部１２の両端部から後方（図１中紙面手前側）に延長する延長腕部１３、１３が設けられ、これらの延長腕部１３、１３から今度は下方に向かって吊下部１４、１４が延長し、この吊下部１４、１４のそれぞれの下端部にはフック部１４ｆ、１４ｆが設けられている。
これらのフック部１４ｆ、１４ｆに各種医療用バッグを吊下げ又は引っ掛けることができる。
【００３３】
上記腕部１２は、２本の脚部１０、１０の中間部の位置に設けることもできるし、２本の脚部１０、１０の後部（図１中紙面の手前側）に配置することもできる。
図１中紙面の手前側に設ける場合には、腕部１２の両端部に設けた延長腕部１３、１３を設けずに実施することができる。
【００３４】
上記構成部材は、アルミニウムやステンレス等の金属製のものを採用することもできるし、伸縮自在の脚部は合成樹脂製のものを利用することもできる。
最後に、上記２本の脚部１０、１０は、軸部１１にて回動自在に設けているために、その開脚角度θを適宜自由に設定することができる。
図１及び図２では、後方側の脚部１０を左に回動し、前方側の脚部１０を右に回動して図示しているが、これを逆に前方側を左に、後方側を右に回動させて開脚させることもできる。
【００３５】
次に図３を用いて上記実施形態に係る取付具の取り付け方について説明する。
図３は、上記実施形態に係る取付具を車椅子に取り付けた状態を図示する説明図である。
この図３において、車椅子はその背面側から見た状態を図示しており、車椅子の背凭れＳは、左右一対の駆動輪Ｋの内側下方前後方向に配設されている一対のベースフレームＢから上方に垂立する縦フレームＦ、Ｆに張設されて設けられている。
【００３６】
上記各ベースフレームＢ、Ｂの後方端部にはティッピングレバーＴ、Ｔが設けられ、介助者はこのティッピングレバーＴに足を掛けて車椅子の前方を持ち上げることが出来る。
即ち、走行路に段差等があった際に、このティッピングレバーＴに介護者が足を掛けて車椅子の前方にあるキャスターを持ち上げて乗り越えさせる際に使用されるものである。
【００３７】
更に、上記ベースフレームＢ、Ｂには、クロスパイプと呼ばれる折り畳みフレームＣ、Ｃが設けられている。
上記左右一対のベースフレームＢ、Ｂの後方端部分に本発明に係る取付具が固定されることになる。
【００３８】
まず、本発明に係る取付具を取り付ける前に、両脚部１０、１０の長さを調整する。
当該調整は、上記した通り、脚部１０の中間部に設けた長さ調整締付け部１０ｔを緩めて脚部１０の全体長さを長短調整し、その後締め付けて長さを固定することができる。
両者の長さを短く設定することによりフック部１４ｆ、１４ｆの高さが低くなる。
【００３９】
その後、両脚部１０、１０の開脚角度を適宜広げて、ベースフレームＢ、Ｂに固定部１５が固定できる状態とする。
この状態で、両脚部１０、１０の下端部に設けた固定部１５、１５を図３に示した通り、車椅子のベースフレームＢに固定するのである。
【００４０】
上記固定部１５のベースフレームＢへの固定は、既に上述した通り、固定部１５の根元部の操作部１５ｓを相互に近付けるように指で押圧して先端部の挟持部１５ｋ、１５ｋを拡開し、これら挟持部１５ｋ、１５ｋの間にベースフレームＢを位置させ、その後上記操作部１５ｓ、１５ｓへの押圧力を除去することにより先端部の挟持部１５ｋ、１５ｋがベースフレームＢを挟持し固定することができる。
【００４１】
上記取付具が車椅子に取り付けられた後に、この取付部の吊下部１４のフック部１４ｆに採尿バッグや蓄尿バッグ等の医療用バッグの上方部分に設けられた孔部等を吊下げ又は引っ掛けて保持させることができるのである。
【００４２】
以上、本発明の一実施形態について説明したが、本発明においては以下の通り各種設計変更を行うことができる。
【００４３】
まず、上記実施形態においては、その取付具を車椅子の背凭れ部の背面側に位置する一対のベースフレームの後方端部分に取り付け固定する実施形態を例示したものであるが、本発明に係る取付具にあっては、これを上記ベースフレームの前方端部分に取り付けることも可能である。
【００４４】
即ち、上記実施形態に係る取付具と全く同一の構成から成る取付具をそのまま前後逆にして、つまり、１８０度反転させて、上記ベースフレームの前方端部分、即ち、車椅子の座部の下方部分又は下方前方部分、より詳しくは、車椅子の座部の下面に配置されたクロスパイプと呼ばれる折り畳みフレームの前方の一対のベースフレームに取り付け固定することができるのである。
【００４５】
本発明にあっては、両脚部の長さを長短自在に調整できるために、当該長さを適宜短く設定し、車椅子の座部の下或いは下前方に位置するベースフレームに簡単に取り付けることができる。
その際に、吊下部又はフック部が前方を向くように、上記実施形態に係る取付具を前後逆にしてベースフレームに取り付け固定すればよいのである。
換言すれば、上記実施形態に係る取付具の構成を全くそのままにして、その取付向きを１８０度反転させて車椅子の座部の下方又は下方前方の一対のベースフレームに簡単に取り付け固定することができることとなるのである。
【００４６】
このように、本発明に係る取付具にあっては、車椅子の背面側若しくは座部の下方又は下方前方に位置する一対のベースフレームの部位にワンタッチで簡単に取り付けることができるように、一対の脚部の上端部を支軸によって軸着し、これら脚部の下端部に固定部を設け、上記支軸には更に腕部を設け、この腕部の両端部に吊下部を設けた構成が基本となり、具体的な大きさや形状、材質等々は適宜設計変更することができる。
【００４７】
固定部も上記実施形態のような洗濯ハサミ形態でなくとも実施することができ、パイプ状のフレームを挟持して締め付け固定できる構造のものであれば、どのような形態のものであってもよい。
例えば、断面コ字形状のものを使用し、その両脚部をベースフレームを跨ぐように配置し、前記両脚部と直交する方向に締付け螺子等を配設して、この螺子を締め付けてベースフレームに固定する形態のものを採用することもできる。
しかしながら、ワンタッチ式に固定し、取り外しできるようにするためには、上記実施形態の如き形態が最適である。
【００４８】
吊下部をその両端部に設ける腕部は、上記実施形態では支軸の前部に設けたが、これを支軸の後部又は両脚部の間に設けることもできる。
支軸の後部に設ける場合には、腕部の両端部に延長腕部を設ける必要がなくなる。
吊下部の下端に設けたフック部も他の形態のものを採用することができ、要するに医療用バッグに設けられている孔部等に吊り下げ又は引っ掛けることのできる形態のものであればよい。
【００４９】
以上、本発明は、車椅子の一対のベースフレームの前端部分又は後端部分の適宜位置に簡単にワンタッチで固定及び取り外しができ、その被取付物品である医療用バッグ等の取り付け高さ位置をも高低自在に調整できる車椅子用医療用バッグ取付具を提供することができたものである。
【符号の説明】
【００５０】
１０  脚部
１０ａ  上方管体
１０ｂ  下方管体
１０ｔ  長さ調整締付け部
１１  支軸
１２  腕部
１３  延長腕部
１４  吊下部
１４ｆ  フック部
１５  固定部
１５ｊ  軸部
１５ｋ  挟持部
１５ｓ  操作部
Ｈ  医療用バッグ
Ｓ  背凭れ部
Ｂ  ベースフレーム
Ｃ  折り畳みフレーム
Ｆ  縦フレーム
Ｋ  駆動輪
Ｔ  ティッピングレバー
【図１】
2020168346.tif 000003
【図２】
2020168346.tif 000004
【図３】
2020168346.tif 000005